(57)【要約】【課題】空港の滑走路・誘導路等に設置される灯火の断芯を適切に検出する。【解決手段】本発明の一態様は、一次側が定電流電源１に接続される変流器２の二次側と、灯火３との間に接続される灯火断芯検出装置１２において、灯火３に流れる電流を計測する電流計測手段１４と、灯火３の両端の電圧を計測する電圧計測手段１５と、灯火３の両端の過電圧を検出する過電圧検出手段６と、変流器２の二次側に対して、灯火３と並列となるように接続されたスイッチング手段７と、過電圧検出前の電流と電圧とに基づいて過電圧検出前の抵抗値を求め、過電圧検出後の電流と電圧とに基づいて過電圧検出後の抵抗値を求め、過電圧検出前の抵抗値と過電圧検出後の抵抗値とを比較し、比較結果が所定の許容範囲にない場合に、灯火３の断芯を検出するとともに、スイッチング手段７を閉状態とする演算手段１６とを具備する。【選択図】      図１
2005183119.tif 000002
【特許請求の範囲】
【請求項１】
一次側が定電流電源に接続される変流器の二次側と、灯火との間に接続される灯火断芯検出装置において、
前記灯火に流れる電流を計測する電流計測手段と、
前記灯火の両端の電圧を計測する電圧計測手段と、
前記灯火の両端の過電圧を検出する過電圧検出手段と、
前記変流器の二次側に対して、前記灯火と並列となるように接続されたスイッチング手段と、
前記過電圧検出前の電流と電圧とに基づいて過電圧検出前の抵抗値を求め、前記過電圧検出後の電流と電圧とに基づいて過電圧検出後の抵抗値を求め、前記過電圧検出前の抵抗値と前記過電圧検出後の抵抗値とを比較し、比較結果が所定の許容範囲にない場合に、前記灯火の断芯を検出するとともに、前記スイッチング手段を閉状態とする演算手段と
を具備する灯火断芯検出装置。
【請求項２】
請求項１記載の灯火断芯検出装置において、
前記演算手段は、前記過電圧検出前の抵抗値の累積値と、前記過電圧検出後の抵抗値の累積値とを比較することを特徴とする灯火断芯検出装置。
【請求項３】
一次側が定電流電源に接続される変流器の二次側と、灯火との間に接続される灯火断芯検出装置において、
前記灯火に流れる電流を計測する電流計測手段と、
前記灯火の両端の電圧を計測する電圧計測手段と、
前記灯火の両端の過電圧を検出する過電圧検出手段と、
前記変流器の二次側に対して、前記灯火と並列となるように接続されたスイッチング手段と、
前記過電圧検出前の電流と電圧とに基づいて過電圧検出前に前記灯火によって消費された電力値を求め、前記過電圧検出後の電流と電圧とに基づいて過電圧検出後に前記灯火によって消費された電力値を求め、前記過電圧検出前の電力値と前記過電圧検出後の電力値とを比較し、比較結果が所定の許容範囲にない場合に、前記灯火の断芯を検出するとともに、前記スイッチング手段を閉状態とする演算手段と
を具備する灯火断芯検出装置。
【請求項４】
請求項３記載の灯火断芯検出装置において、
前記演算手段は、前記過電圧検出前の電力値の累積値と、前記過電圧検出後の電力値の累積値とを比較することを特徴とする灯火断芯検出装置。
【請求項５】
請求項１乃至請求項４のいずれか１項に記載の灯火断芯検出装置において、
前記電流計測手段の一端は、前記変流器の二次側の一端に接続され、前記電流計測手段の他端は、前記灯火の一端に接続され、
前記灯火の他端は、前記変流器の二次側の他端に接続され、
前記過電圧検出手段の一端は、前記灯火の一端に接続され、前記過電圧検出手段の他端は、前記灯火の他端に接続され、
前記電圧計測手段の一端は、前記灯火の一端に接続され、前記電圧計測手段の他端は、前記灯火の他端に接続され、
前記スイッチング手段の一端は、前記変流器の二次側の一端と接続され、前記スイッチング手段の他端は、前記変流器の二次側の他端と接続される
ことを特徴とする灯火断芯検出装置。
【請求項６】
請求項５記載の灯火断芯検出装置において、
前記変流器の二次側の一端と前記スイッチング手段の一端との間又は前記変流器の二次側の他端と前記スイッチング手段の他端との間に、前記変流器の二次側からの電流に基づいて、前記過電圧検出手段、前記電圧計測手段、前記電流計測手段、前記演算手段に電力を供給する電源手段をさらに具備する灯火断芯検出装置。
【請求項７】
請求項１乃至請求項６のいずれか１項に記載の灯火断芯検出装置において、
前記演算手段によって前記灯火の断芯が検出された場合に、固有の識別情報と前記灯火の断芯を表す情報を外部に送信する手段をさらに具備する灯火断芯検出装置。
【請求項８】
一次側が定電流電源に接続される変流器の二次側と、灯火との間において、前記灯火の断芯を検出する方法において、
過電圧検出前に、前記灯火に流れる電流を計測するとともに前記灯火の両端の電圧を計測し、
前記過電圧検出前に計測された電流と電圧とに基づいて前記過電圧検出前の抵抗値を求め、
前記灯火の両端に過電圧が検出されたか判断し、
過電圧検出後に、前記灯火に流れる電流を計測するとともに前記灯火の両端の電圧を計測し、
前記過電圧検出後に計測された電流と電圧とに基づいて前記過電圧検出後の抵抗値を求め、
前記過電圧検出前の抵抗値と前記過電圧検出後の抵抗値とを比較し、比較結果が所定の許容範囲にない場合に、前記灯火の断芯を検出するとともに、前記変流器の二次側に対して前記灯火と並列となるように接続されたスイッチング手段を閉状態とする
ことを特徴とする灯火断芯検出方法。
【請求項９】
一次側が定電流電源に接続される変流器の二次側と、灯火との間において、前記灯火の断芯を検出する方法において、
過電圧検出前に、前記灯火に流れる電流を計測するとともに前記灯火の両端の電圧を計測し、
前記過電圧検出前に計測された電流と電圧とに基づいて前記過電圧検出前に前記灯火によって消費された電力値を求め、
前記灯火の両端に過電圧が検出されたか判断し、
過電圧検出後に、前記灯火に流れる電流を計測するとともに前記灯火の両端の電圧を計測し、
前記過電圧検出後に計測された電流と電圧とに基づいて前記過電圧検出後に前記灯火によって消費された電力値を求め、
前記過電圧検出前の電力値と前記過電圧検出後の電力値とを比較し、比較結果が所定の許容範囲にない場合に、前記灯火の断芯を検出するとともに、前記変流器の二次側に対して前記灯火と並列となるように接続されたスイッチング手段を閉状態とする
ことを特徴とする灯火断芯検出方法。
【発明の詳細な説明】
【技術分野】
【０００１】
本発明は、空港の滑走路・誘導路等に設置される灯火の断芯を検出する灯火断芯検出装置及び方法に関する。
【背景技術】
【０００２】
空港の滑走路・誘導路には、航空機を誘導するための誘導灯や制御灯などの灯火が配置されている。灯火は、視界、天候などに応じて点灯又は消灯される。
【０００３】
図６は、従来の灯火点灯回路の一例を示す回路図である。
【０００４】
定電流電源装置１は、複数の変流器２の一次側と直列に接続される。定電流電源装置１と複数の変流器２とにより、閉回路が形成される。
【０００５】
複数の変流器２の二次側は、複数の灯火３と接続される。変流器２の一次側に電流が流れると、変流器２の二次側にも電流が流れ、灯火３が点灯する。
【０００６】
変流器２の二次側に接続された灯火３に断芯が発生すると、断芯した灯火が消灯状態となるとともに、断芯した灯火３と接続された変流器２の二次側が開放状態となる。すると、変流器２の飽和電圧に相当する高電圧が発生する。
【０００７】
図７は、従来の灯火断芯検出装置４の一例を示す回路図である。
【０００８】
複数の灯火断芯検出装置４は、複数の変流器２と複数の灯火３との間に接続される。
【０００９】
変流器２の二次側の一端は、電源回路５の一端と接続される。電源回路５の他端は、灯火３の一端、過電圧検出回路６の一端、スイッチング素子７の一端と接続される。
【００１０】
変流器２の二次側の他端は、灯火３の他端、過電圧検出回路６の他端、スイッチング素子７の他端と接続される。
【００１１】
電源回路５は、例えばゴムトランス二次電流（交流）により、過電圧検出回路６、演算回路８、伝送回路９などの電力供給先に必要な直流電圧電源出力を取得し、電力供給先に一定の直流電圧を出力し、二次電流が変化しても直流電圧出力を一定に保つ機能を具備する。
【００１２】
灯火３の正常状態では、スイッチング素子７は、開放状態である。灯火３に断芯が発生した場合、過電圧検出回路６は、過電圧を検出する。これにより、灯火３に流れていた電流が遮断されたたことが検出される。
【００１３】
過電圧が検出された場合に、演算回路８は、スイッチング素子７により灯火３の両端を短絡し、高電圧の発生を防止するとともに、自己電源を確保し、伝送回路９と通信媒体１０とを介して、外部装置１１に対して、固有のアドレスと断芯の発生とを示す情報を送信する。
【００１４】
外部装置１１は、伝送回路９から通信媒体１０経由で受信した情報から、断芯の発生と位置とを特定する．
変流器の二次側の開放時に発生する飽和電圧の値は、変流器の容量によって異なる。この変流器の二次側の開放時に発生する飽和電圧は、変流器の容量に比例する。
【００１５】
図８は、灯火３が断芯した場合の変流器２の二次側における飽和電圧波形の一例を示す図である。
【００１６】
従来の灯火断芯検出装置４では、過電圧検出回路６で過電圧を検出する過電圧レベルＶaを、一番低い変流器の容量に対応する値に設定している。
【特許文献１】特開平１１−１１１４７２号公報
【発明の開示】
【発明が解決しようとする課題】
【００１７】
上述した従来の灯火断芯検出装置４では、灯火３の両端の電圧が所定の過電圧レベルＶaを超えるか否かに基づいて、断芯の発生を検出している。
【００１８】
しかしながら、従来の灯火断芯検出装置４では、灯火３に断芯が発生していない状態であっても、灯火３の両端の電圧が所定の過電圧レベルＶaを超える場合があり、灯火３の断芯を適切に検出することが困難な場合がある。灯火３の断芯が誤って検出された場合においても、灯火３に流れる電流がバイパスされるため、断芯していない灯火３が不点灯となる場合がある。
【００１９】
一方、過電圧レベルＶaを大きくして誤検出の防止を図った場合、変流器２及び灯火３の容量が低くなると、変流器２の二次側開放時の電圧が低くなり、実際に発生した灯火３の断芯を検出できない場合があると考えられる。
【００２０】
本発明は、以上のような実情に鑑みてなされたもので、灯火の断芯が適切に検出されない理由を特定し、この誤検出を防止することにより灯火の断芯検出の精度を向上させる灯火断芯検出装置及び方法を提供することを目的とする。
【課題を解決するための手段】
【００２１】
本発明を実現するにあたって講じた具体的手段について以下に説明する。
【００２２】
本発明の第１例は、一次側が定電流電源に接続される変流器の二次側と、灯火との間に接続される灯火断芯検出装置において、灯火に流れる電流を計測する電流計測手段と、灯火の両端の電圧を計測する電圧計測手段と、灯火の両端の過電圧を検出する過電圧検出手段と、変流器の二次側に対して、灯火と並列となるように接続されたスイッチング手段と、過電圧検出前の電流と電圧とに基づいて過電圧検出前の抵抗値を求め、過電圧検出後の電流と電圧とに基づいて過電圧検出後の抵抗値を求め、過電圧検出前の抵抗値と過電圧検出後の抵抗値とを比較し、比較結果が所定の許容範囲にない場合に、灯火の断芯を検出するとともに、スイッチング手段を閉状態とする演算手段とを具備する灯火断芯検出装置である。
【００２３】
本発明の第２例は、一次側が定電流電源に接続される変流器の二次側と、灯火との間に接続される灯火断芯検出装置において、灯火に流れる電流を計測する電流計測手段と、灯火の両端の電圧を計測する電圧計測手段と、灯火の両端の過電圧を検出する過電圧検出手段と、変流器の二次側に対して、灯火と並列となるように接続されたスイッチング手段と、過電圧検出前の電流と電圧とに基づいて過電圧検出前に灯火によって消費された電力値を求め、過電圧検出後の電流と電圧とに基づいて過電圧検出後に灯火によって消費された電力値を求め、過電圧検出前の電力値と過電圧検出後の電力値とを比較し、比較結果が所定の許容範囲にない場合に、灯火の断芯を検出するとともに、スイッチング手段を閉状態とする演算手段とを具備する灯火断芯検出装置である。
【発明の効果】
【００２４】
本発明においては灯火の断芯を高精度に検出することができる。
【発明を実施するための最良の形態】
【００２５】
以下、図面を参照しながら本発明の実施の形態について説明する。なお、上記図６及び図７と、以下の各図において同一の要素には同一の符号を付する。
【００２６】
（第１の実施の形態）
本実施の形態では、灯火の両端の電圧値と、灯火に流れる電流値とを計測し、計測された電圧値と電流値とから抵抗値を求め、この抵抗値に基づいて灯火の断芯を検出する灯火断芯検出装置について説明する。
【００２７】
図１は、本実施の形態に係る灯火断芯検出装置の一例を示す回路図である。
【００２８】
複数の灯火断芯検出装置１２は、複数の変流器２と複数の灯火３との間に接続される。
【００２９】
変流器２の二次側の一端は、電源回路１３の一端と接続される。電源回路１３の他端は、電流計測回路１４の一端、スイッチング素子７の一端と接続される。
【００３０】
電流計測回路１４の他端は、灯火３の一端、過電圧検出回路６の一端、電圧計測回路１５の一端と接続される。
【００３１】
変流器２の二次側の他端は、スイッチング素子７の他端、灯火３の他端、過電圧検出回路６の他端、電圧計測回路１５の他端と接続される。
【００３２】
電源回路１３は、例えばゴムトランス二次電流（交流）により、過電圧検出回路６、伝送回路９、電流計測回路１４、電圧計測回路１５、演算回路１６などの電力供給先に必要な直流電圧電源出力を取得し、電力供給先に一定の直流電圧を出力し、二次電流が変化しても直流電圧出力を一定に保つ機能を具備する。
【００３３】
本実施の形態では、変流器２の一次側に定電流電源装置１が接続される。変流器２の二次側に灯火３が接続され、点灯閉回路が形成される。
【００３４】
過電圧検出回路は、定電圧ダイオードのツェナー電圧により、点灯閉回路に発生する過電圧（高電圧）を検出する。
【００３５】
スイッチング素子７は、例えばリレーなどの素子であり、灯火３の断芯により点灯閉回路が開放された場合に閉状態となる。これにより、変流器２の二次側に点灯閉回路に代えてバイパス回路が形成される。
【００３６】
演算回路１６は、スイッチング素子７を制御する。具体的には、演算回路１６は、過電圧が灯火の断芯によるものと判断した場合、スイッチング素子７を閉状態とする。
【００３７】
本実施の形態に係る灯火断芯検出装置１２の灯火３の断芯検出概念について説明する。
【００３８】
定電流電源装置１に接続されている複数の変流器２の出力である灯火３を一斉に消灯させると、定電流電源の負荷変動特性により、定電流電源装置１の出力電流が歪む。
【００３９】
図２は、灯火３の一斉消灯前における変流器２の二次側電圧値の一例を示す図である。
【００４０】
一方、図３は、灯火３の一斉消灯後における変流器の二次側電圧値の一例を示す図である。
【００４１】
この図２及び図３に示すように、灯火３を一斉消灯すると、定電流電源装置１の負荷変動の影響により変流器２の二次側電流のピーク値が上昇し、それに伴って二次側電圧も上昇する。
【００４２】
上述した従来の灯火断芯検出装置４では、このような一斉消灯により変流器２の二次側電圧が上昇し、過電圧レベルＶａを超えた場合まで、灯火３の断芯として検出し、誤検出が生じる。
【００４３】
これに対し、本実施の形態では、灯火３と直列に電流計測回路１４を備え、この灯火３及び電流計測回路１４とに対して並列に電圧計測回路１５を備え、電圧計測回路１５と電流計測回路１４のそれぞれの計測値に基づいて、灯火３の抵抗値を演算し、過電圧検出回路６により過電圧が検出される前と後で、灯火３の抵抗値を比較する。
【００４４】
これにより、定電流電源装置１の負荷電流変動による過電圧か、灯火３の断芯による飽和電圧なのか判断することが可能となる。
【００４５】
本実施の形態に係る灯火断芯検出装置１２の動作について説明する。
【００４６】
灯火３の正常状態では、スイッチング素子７は、開放状態である。この正常状態において、演算回路１６は、電圧計測回路１５から灯火３の両端に発生した電圧値Ｖnorを取り込むとともに、電流計測回路１４から灯火に流れた電流値Inorを取り込む。
【００４７】
また、演算回路１６は、取り込んだ電圧値Ｖnorと電流値Inorに基づいて、（１）式により抵抗値Ｒnorを算出する。
【００４８】
Ｒnor＝Ｖnoｒ／Inor…（１）
そして、演算回路１６は、所定の周期（例えば、１周期、１／５０Ｈｚ、１／６０Ｈｚなど）毎に、抵抗値Ｒnorの累積値を算出する。
【００４９】
ここで、過電圧検出回路６によって過電圧が検出されたとする。例えば、過電圧検出回路６は、過電圧レベルＶaを超える電圧を検出した場合、過電圧を検出する。
【００５０】
過電圧が検出された場合、演算回路１６は、電圧計測回路１５から灯火３の両端に発生した電圧値Ｖovを取り込むとともに、電流計測回路１４から灯火３に流れた電流値Ｉovを取り込む。
【００５１】
また、演算回路１６は、取り込んだ電圧値Ｖovと電流値Iovに基づいて、（２）式により抵抗値Ｒov1を算出する。
【００５２】
Ｒov＝Ｖov／Iov…（２）
そして、演算回路１６は、所定の周期毎に、抵抗値Ｒovの累積値を算出する。
【００５３】
演算回路１６は、Ｒovの累積値が、Ｒnorの累積値を基準として設定される所定の許容範囲内に存在するか否か判断する。
【００５４】
演算回路１６は、許容範囲内と判断された場合、過電圧は定電流電源装置１の出力歪みにより発生したと判断する。
【００５５】
一方、演算回路１６は、許容範囲内ではないと判断された場合、灯火３の断芯が発生したと判断し、スイッチング素子７により灯火の両端を短絡し、高電圧の発生を防止するとともに、自己電源を確保し、伝送回路９と通信媒体１０とを介して、外部装置１１に対して、固有のアドレスと断芯の発生とを示す情報を送信する。
【００５６】
外部装置１１は、伝送回路９から通信媒体１０経由で受信した情報から、灯火３の断芯の発生と位置とを特定する。
【００５７】
図４は、本実施の形態に係る灯火断芯検出装置１２の断芯検出処理の一例を示すフローチャートである。
【００５８】
ステップＳ１において、電流計測回路１４は、灯火３に流れる電流の電流値Ｉnorを計測し、電圧計測回路１５は、灯火３の両端における電圧値Ｖnorを計測する。
【００５９】
ステップＳ２において、演算回路１６は、電流値Ｉnorと電圧値Ｖnoｒとに基づいて、過電圧検出前（正常時）の灯火３の抵抗値Ｒnorを算出する。
【００６０】
ステップＳ３において、演算回路１６は、所定の周期毎に、抵抗値Ｒnorの累積値を算出する。
【００６１】
ステップＳ４において、過電圧検出回路６は、過電圧が検出されたか否か判断する。過電圧が検出されていない場合、上記ステップＳ１以下の処理が繰り返される。
【００６２】
過電圧が検出された場合、ステップＳ５において、電流計測回路１４は、灯火３に流れる電流の電流値Ｉovを計測し、電圧計測回路１５は、灯火３の両端における電圧値Ｖovを計測する。
【００６３】
ステップＳ６において、演算回路１６は、電流値Ｉovと電圧値Ｖovとに基づいて、過電圧検出後の灯火３の抵抗値Ｒovを算出する。
【００６４】
ステップＳ７において、演算回路１６は、所定の周期毎に、抵抗値Ｒovの累積値を算出する。
【００６５】
ステップＳ８において、演算回路１６は、Ｒovの累積値が、Ｒnorの累積値を基準とする所定の許容範囲内か否か判断する。
【００６６】
許容範囲内と判断された場合、ステップＳ９において、演算回路１６は、過電圧は定電流電源装置１の出力歪みにより発生したと判断する。
【００６７】
一方、許容範囲内ではないと判断された場合、ステップＳ１０において、演算回路１６は、灯火３の断芯を検出する。
【００６８】
ステップＳ１１において、演算回路１６は、スイッチング素子７をＯＮ状態とし、スイッチング素子７により灯火３の両端を短絡し、自己電源を確保する。
【００６９】
ステップＳ１２において、演算回路１６は、固有のアドレスと断芯の検出とを示す情報を、伝送回路９と通信媒体１０とを介して外部装置１１に送信する。
【００７０】
なお、上記ステップＳ１０〜Ｓ１２の実行順序は自由に変更可能であり、また、並列に実行されるとしてもよい。
【００７１】
以上説明した本実施の形態に係る灯火断芯検出装置１２は、過電圧の検出前と後とで、灯火３の抵抗値を比較し、過電圧の検出前の抵抗値を基準とする所定の許容範囲に、過電圧の検出後の抵抗値が含まれない場合に、灯火３の断芯を検出する。
【００７２】
これにより、灯火３の断芯による過電圧の発生と、定電流電源装置１の負荷変動で発生する出力波形歪みによる過電圧の発生とを区別することができ、定電流電源装置１の負荷変動で発生する出力波形歪みによる灯火３の誤断芯を未然に防止でき、灯火３の断芯の検出精度を向上させることができる。
【００７３】
なお、本実施の形態では、過電圧の検出前における灯火３の抵抗値と過電圧の検出後における灯火３の抵抗値との比較手法の一例として、過電圧の検出前における灯火３の抵抗値の累積値と過電圧の検出後における灯火の抵抗値の累積値とを比較するとしている。しかしながら、例えば、過電圧の検出前における灯火３の抵抗値のいくつかをサンプリングして得た値と過電圧の検出後における灯火３の抵抗値のいくつかをサンプリングして得た値とを比較して一致率を求めるなどにより、灯火３の断芯による過電圧の発生と、定電流電源装置１の負荷変動で発生する出力波形歪みによる過電圧の発生とを区別するとしてもよい。
【００７４】
（第２の実施の形態）
本実施の形態では、上記第１の実施の形態の変形例について説明する。
【００７５】
本実施の形態では、灯火の両端の電圧値と、灯火に流れる電流値とを計測し、計測された電圧値と電流値とから電力値を求め、この電力値に基づいて灯火の断芯を検出する灯火断芯検出装置について説明する。
【００７６】
本実施の形態に係る灯火断芯検出装置の構成は、上記図１に示す構成と同様であるが、演算回路の処理内容が異なる。
【００７７】
図５は、本実施の形態に係る灯火断芯検出装置の断芯検出動作の一例を示すフローチャートである。
【００７８】
ステップＴ１は、電流計測回路１４は、灯火３に流れる電流の電流値Ｉnorを計測し、電圧計測回路１５は、灯火３の両端における電圧値Ｖnorを計測する。
【００７９】
ステップＴ２において、演算回路１６は、電圧計測回路１５から取り込んだ電圧値Ｖnorと、電流計測回路１４から取り込んだ電流値Ｉnorとに基づいて、（３）式により過電圧検出前に灯火３によって消費された電力値Ｗnorを算出する。
【００８０】
Ｗnor＝Ｖnor×Ｉnor…（３）
ステップＴ３において、演算回路は、所定の周期毎に、電力値Ｗnorの累積値を算出する。
【００８１】
ステップＴ４において、過電圧検出回路６は、過電圧が検出されたか否か判断する。過電圧が検出されていない場合、上記ステップＴ１以下の処理が繰り返される。
【００８２】
過電圧が検出された場合、ステップＴ５において、電流計測回路１４は、灯火３に流れる電流の電流値Ｉovを計測し、電圧計測回路１５は、灯火３の両端における電圧値Ｖovを計測する。
【００８３】
ステップＴ６において、演算回路は、電圧計測回路１５から取り込んだ電圧値Ｖovと、電流計測回路１４から取り込んだ電流値Ｉovとに基づいて、（４）式により過電圧検出後に灯火３によって消費された電力値Ｗovを算出する。
【００８４】
Ｗov＝Ｖov×Ｉov…（４）
ステップＴ７において、演算回路は、所定の周期毎に、電力値Ｗovの累積値を算出する。
【００８５】
ステップＴ８において、演算回路は、Ｗovの累積値が、Ｗnorの累積値を基準とする所定の許容範囲内か否か判断する。
【００８６】
許容範囲内と判断された場合、ステップＴ９において、演算回路は、過電圧は定電流電源装置１の出力歪みにより発生したと判断する。
【００８７】
許容範囲内ではないと判断された場合に実行されるステップＴ１０〜Ｔ１２は、上記図４のステップＳ１０〜Ｓ１２と同様のであるため、説明を省略する。
【００８８】
以上説明した本実施の形態に係る灯火断芯検出装置は、過電圧の検出前と後とで、灯火３で消費される電力値を比較し、過電圧の検出前の電力値を基準とする所定の許容範囲に、過電圧の検出後の電力値が含まれない場合に、灯火３の断芯を検出する。
【００８９】
これにより、灯火３の断芯による過電圧の発生と、定電流電源装置１の負荷変動で発生する出力波形歪みによる過電圧の発生とを区別することができ、定電流電源装置１の負荷変動で発生する出力波形歪みによる灯火３の誤断芯を未然に防止でき、灯火３の断芯の検出精度を向上させることができる。
【００９０】
なお、本実施の形態では、過電圧の検出前に灯火３で消費される電力値と過電圧の検出後に灯火３で消費される電力値との比較手法の一例として、過電圧の検出前に灯火３で消費される電力値の累積値と過電圧の検出後に灯火３で消費される電力値の累積値とを比較するとしている。しかしながら、例えば、過電圧の検出前に灯火３で消費される電力値のいくつかをサンプリングして得た値と過電圧の検出後に灯火３で消費される電力値のいくつかをサンプリングして得た値とを比較して一致率を求めるなどにより、灯火３の断芯による過電圧の発生と、定電流電源装置１の負荷変動で発生する出力波形歪みによる過電圧の発生とを区別するとしてもよい。
【００９１】
上記各実施の形態において、各構成要素は同様の動作を実現可能であれば配置を変更させてもよく、また、各構成要素を自由に組合せてもよく、各構成要素を自由に分割してもよい。
【００９２】
例えば、電流計測回路１４は、灯火３の他端側に備えてもよい。また、電源回路１３は、変流器２の二次側の他端側に備えてもよい。また、過電圧検出回路６を省略し、演算回路１６が電圧計測回路１５によって計測された電圧の値に基づいて、過電圧を検出してもよい。
【産業上の利用可能性】
【００９３】
本発明は、例えば、空港の滑走路・誘導路において航空機を誘導するための誘導灯や制御灯などの灯火の断芯を検出する分野に有効である。
【図面の簡単な説明】
【００９４】
【図１】本発明の第１の実施の形態に係る灯火断芯検出装置の一例を示す回路図。
【図２】灯火の一斉消灯前における変流器の二次側電圧値の一例を示す図。
【図３】灯火の一斉消灯後における変流器の二次側電圧値の一例を示す図。
【図４】同実施の形態に係る灯火断芯検出装置の断芯検出処理の一例を示すフローチャート。
【図５】本発明の第２の実施の形態に係る灯火断芯検出装置の断芯検出処理の一例を示すフローチャート。
【図６】従来の灯火点灯回路の一例を示す回路図。
【図７】従来の灯火断芯検出装置の一例を示す回路図。
【図８】灯火が断芯した場合の変流器２の二次側における飽和電圧波形の一例を示す図。
【符号の説明】
【００９５】
１…定電流電源装置、２…変流器、３…灯火、４，１２…灯火断芯検出装置、５，１３…電源回路、６…過電圧検出回路、７…スイッチング素子、８，１６…演算回路、９…伝送回路、１０…通信媒体、１１…外部装置、１４…電流計測回路、１５…電圧計測回路
【図１】
2005183119.tif 000003
【図２】
2005183119.tif 000004
【図３】
2005183119.tif 000005
【図４】
2005183119.tif 000006
【図５】
2005183119.tif 000007
【図６】
2005183119.tif 000008
【図７】
2005183119.tif 000009
【図８】
2005183119.tif 000010